【手続補正書】
【提出日】平成21年8月6日(2009.8.6)
【手続補正１】
【補正対象書類名】特許請求の範囲
【補正対象項目名】全文
【補正方法】変更
【補正の内容】
【特許請求の範囲】
【請求項１】
複数の遊技球が打ち込まれ、当該打ち込まれた複数の遊技球が流下可能な遊技領域と、
前記遊技球の流下方向の最下流側に形成され、前記遊技領域に打ち込まれた遊技球を排出する排出口と、
前記排出口に向けて流下する遊技球の流下態様を不規則に変化させる流下態様変化手段と、
前記遊技領域を流下する複数の遊技球を対象として前記流下態様変化手段によって遊技球を一球ずつ受け入れ可能な第一受入口と、
所定の遊技情報を導出可能な第一遊技情報導出手段と、
所定期間毎に発生する割込処理にて前記第一受入口への遊技球の受け入れを検出する第一受入検出手段、
前記第一受入検出手段による前記第一受入口への遊技球の受入検出に基づいて抽選を行う第一抽選手段、
少なくとも前記第一抽選手段による抽選結果を、前記第一遊技情報導出手段に導出する第一遊技情報導出制御手段、
前記第一抽選手段による抽選または／および抽選結果の導出を留保すると共に当該留保に基づく留保関連情報を第一記憶数として記憶し、当該第一抽選手段による抽選または／および抽選結果の導出が留保されたことに基づいて、当該留保関連情報を第一所定数の範囲内で前記第一記憶数に一つずつ加算記憶する第一受入記憶手段、並びに、
前記第一抽選手段による抽選に当選したことに基づいて、遊技者に所定の遊技価値を付与することが可能な大当たり遊技を実行する大当たり遊技実行手段、
を少なくとも有する遊技制御手段と、を備える遊技機であって、
前記遊技機は、
前記第一受入口よりも遊技球の受け入れが困難な第１の態様と前記第一受入口よりも遊技球の受け入れが促進される第２の態様とに切り替え可能な第二受入口と、
前記遊技領域を流下する遊技球が通過可能な通過口と、
をさらに備えており、
前記遊技制御手段は、
前記割込処理にて前記第二受入口への遊技球の受け入れを検出する第二受入検出手段、
前記第二受入検出手段による前記第二受入口への遊技球の受入検出に基づいて抽選を行う第二抽選手段、
少なくとも前記第二抽選手段による抽選結果を、前記第二遊技情報導出手段に導出する第二遊技情報導出制御手段、
前記第二抽選手段による抽選または／および抽選結果の導出を留保すると共に当該留保に基づく留保関連情報を第二記憶数として記憶し、当該第二抽選手段による抽選または／および抽選結果の導出が留保されたことに基づいて、当該留保関連情報を第二所定数の範囲内で前記第二記憶数に一つずつ加算記憶する第二受入記憶手段、
前記第一遊技情報導出手段および／または前記第二遊技情報導出手段に導出するための遊技態様であって、導出される時間が異なる複数の遊技態様を記憶する遊技態様記憶手段、
前記第一遊技態様導出手段に導出する遊技態様を、前記遊技態様記憶手段に記憶される複数の遊技態様のなかから決定する第一遊技態様決定手段、
前記第二遊技態様導出手段に導出する遊技態様を、前記遊技態様記憶手段に記憶される複数の遊技態様のなかから決定する第二遊技態様決定手段、
前記遊技領域に向けて打ち込まれた遊技球が前記通過口を通過したことを検出する通過検出手段、
前記通過検出手段による遊技球の検出に基づいて抽選を行う第三抽選手段、 
前記第三抽選手段による抽選において当選したことに基づいて、前記第二受入口を第１の態様から第２の態様に切り替え可能な第二受入口態様切替実行手段、並びに、
前記第二受入口について第１の態様から第２の態様への切り替え頻度を高めることによって前記第一受入口よりも前記第二受入口への遊技球の受け入れが促進されるように、前記第三抽選手段による抽選を行う有利遊技を実行可能な有利遊技実行手段、
をさらに有しており、
前記大当り遊技実行手段は、
前記第二抽選手段による抽選に当選した場合にも、当該抽選に当選したことに基づいて前記大当たり遊技を実行し、
前記第一遊技情報導出制御手段および前記第二遊技情報導出制御手段は、前記第一受入記憶手段または／および前記第二受入記憶手段によって留保関連情報が記憶された順に、当該留保関連情報に基づく前記第一抽選手段または前記第二抽選手段による抽選結果を導出すると共に、当該抽選結果を導出するに際し、前記第一遊技態様決定手段または前記第二遊技態様決定手段によって決定された遊技態様を導出するものであって、
少なくとも前記有利遊技実行手段によって有利遊技が行われているとき、前記第二受入検出手段は、
前記第一受入検出手段による前記第一受入口への遊技球の受入検出および前記第二受入検出手段による前記第二受入口への遊技球の受入検出の両方がほぼ同時に検出された場合、前記第二受入検出手段による前記第二受入口への遊技球の受入検出に基づく留保関連情報についての前記第二記憶数への加算記憶を、前記第一受入検出手段による前記第一受入口への遊技球の受入検出に基づく留保関連情報についての前記第一記憶数への加算記憶に先立って行う
ことを特徴とする遊技機。
【請求項２】
前記第一遊技態様決定手段は、
前記第一遊技情報導出手段に遊技態様が導出開始される時点において前記第一受入記憶手段によって記憶される第一記憶数が複数のとき、少なくとも単数のときに決定される遊技態様よりも時間が短い遊技態様を、前記第一遊技情報導出手段に導出する遊技態様として決定する一方、
前記第二遊技態様決定手段は、
前記第二遊技情報導出手段に遊技態様が導出開始される時点において前記第二受入記憶手段によって記憶される第二記憶数に拘わらず、前記第一記憶数が前記第一所定数の場合に決定される遊技態様よりも時間が長い遊技態様を、前記第二遊技情報導出手段に導出する遊技態様として決定するものである
ことを特徴とする請求項１に記載の遊技機。
【請求項３】
前記遊技球の流下方向について前記第一受入口よりも上流側に設けられ、前記遊技領域を流下する複数の遊技球のうち、一部の遊技球のみを、前記排出口に向かう方向とは異なる特定の方向に受け入れる流下球特定受入手段をさらに備えると共に、
前記第二受入口は、前記流下球特定受入手段によって前記特定の方向に受け入れた遊技球のみを対象として一球ずつ受け入れ可能とすることによって、前記第一受入口よりも遊技球の受け入れ頻度が高くなるように構成された第三受入口を含む
ことを特徴とする請求項１または２に記載の遊技機。
【手続補正２】
【補正対象書類名】明細書
【補正対象項目名】０００７
【補正方法】変更
【補正の内容】
【０００７】
前記課題を解決するための本発明に係る遊技機は、複数の遊技球が打ち込まれ、当該打ち込まれた複数の遊技球が流下可能な遊技領域と、前記遊技球の流下方向の最下流側に形成され、前記遊技領域に打ち込まれた遊技球を排出する排出口と、前記排出口に向けて流下する遊技球の流下態様を不規則に変化させる流下態様変化手段と、前記遊技領域を流下する複数の遊技球を対象として前記流下態様変化手段によって遊技球を一球ずつ受け入れ可能な第一受入口と、所定の遊技情報を導出可能な第一遊技情報導出手段と、所定期間毎に発生する割込処理にて前記第一受入口への遊技球の受け入れを検出する第一受入検出手段、前記第一受入検出手段による前記第一受入口への遊技球の受入検出に基づいて抽選を行う第一抽選手段、少なくとも前記第一抽選手段による抽選結果を、前記第一遊技情報導出手段に導出する第一遊技情報導出制御手段、前記第一抽選手段による抽選または／および抽選結果の導出を留保すると共に当該留保に基づく留保関連情報を第一記憶数として記憶し、当該第一抽選手段による抽選または／および抽選結果の導出が留保されたことに基づいて、当該留保関連情報を第一所定数の範囲内で前記第一記憶数に一つずつ加算記憶する第一受入記憶手段、並びに、前記第一抽選手段による抽選に当選したことに基づいて、遊技者に所定の遊技価値を付与することが可能な大当たり遊技を実行する大当たり遊技実行手段、を少なくとも有する遊技制御手段と、を備える遊技機であって、前記遊技機は、前記第一受入口よりも遊技球の受け入れが困難な第１の態様と前記第一受入口よりも遊技球の受け入れが促進される第２の態様とに切り替え可能な第二受入口と、前記遊技領域を流下する遊技球が通過可能な通過口と、をさらに備えており、前記遊技制御手段は、前記割込処理にて前記第二受入口への遊技球の受け入れを検出する第二受入検出手段、前記第二受入検出手段による前記第二受入口への遊技球の受入検出に基づいて抽選を行う第二抽選手段、少なくとも前記第二抽選手段による抽選結果を、前記第二遊技情報導出手段に導出する第二遊技情報導出制御手段、前記第二抽選手段による抽選または／および抽選結果の導出を留保すると共に当該留保に基づく留保関連情報を第二記憶数として記憶し、当該第二抽選手段による抽選または／および抽選結果の導出が留保されたことに基づいて、当該留保関連情報を第二所定数の範囲内で前記第二記憶数に一つずつ加算記憶する第二受入記憶手段、前記第一遊技情報導出手段および／または前記第二遊技情報導出手段に導出するための遊技態様であって、導出される時間が異なる複数の遊技態様を記憶する遊技態様記憶手段、前記第一遊技態様導出手段に導出する遊技態様を、前記遊技態様記憶手段に記憶される複数の遊技態様のなかから決定する第一遊技態様決定手段、前記第二遊技態様導出手段に導出する遊技態様を、前記遊技態様記憶手段に記憶される複数の遊技態様のなかから決定する第二遊技態様決定手段、前記遊技領域に向けて打ち込まれた遊技球が前記通過口を通過したことを検出する通過検出手段、前記通過検出手段による遊技球の検出に基づいて抽選を行う第三抽選手段、前記第三抽選手段による抽選において当選したことに基づいて、前記第二受入口を第１の態様から第２の態様に切り替え可能な第二受入口態様切替実行手段、並びに、前記第二受入口について第１の態様から第２の態様への切り替え頻度を高めることによって前記第一受入口よりも前記第二受入口への遊技球の受け入れが促進されるように、前記第三抽選手段による抽選を行う有利遊技を実行可能な有利遊技実行手段、をさらに有しており、前記大当り遊技実行手段は、前記第二抽選手段による抽選に当選した場合にも、当該抽選に当選したことに基づいて前記大当たり遊技を実行し、前記第一遊技情報導出制御手段および前記第二遊技情報導出制御手段は、前記第一受入記憶手段または／および前記第二受入記憶手段によって留保関連情報が記憶された順に、当該留保関連情報に基づく前記第一抽選手段または前記第二抽選手段による抽選結果を導出すると共に、当該抽選結果を導出するに際し、前記第一遊技態様決定手段または前記第二遊技態様決定手段によって決定された遊技態様を導出するものであって、少なくとも前記有利遊技実行手段によって有利遊技が行われているとき、前記第二受入検出手段は、前記第一受入検出手段による前記第一受入口への遊技球の受入検出および前記第二受入検出手段による前記第二受入口への遊技球の受入検出の両方がほぼ同時に検出された場合、前記第二受入検出手段による前記第二受入口への遊技球の受入検出に基づく留保関連情報についての前記第二記憶数への加算記憶を、前記第一受入検出手段による前記第一受入口への遊技球の受入検出に基づく留保関連情報についての前記第一記憶数への加算記憶に先立って行うことを特徴とする。